(57)【特許請求の範囲】
【請求項１】
エレベータの運行の制御を行うエレベータ制御盤と、
エレベータ乗場に設置された呼び釦及び呼び釦灯の制御を行うエレベータ乗場釦制御装置と、
前記エレベータ乗場釦制御装置と前記エレベータ制御盤とを接続するとともに、前記エレベータ制御盤とエレベータかご室とを接続するエレベータ信号伝送システムと
を備え、
前記エレベータかご室は、音声メッセージを発声するアナウンス装置を有しており、
前記エレベータ制御盤は、
前記エレベータ乗場釦制御装置が設置された階床を示すエレベータ管理階床データを保存する制御盤メモリと、
親局マイクロコンピュータと
を有し、
前記エレベータ乗場釦制御装置は、
リモコンから入力されるエレベータ管理階床データを受信するリモコン信号受信回路と、
前記リモコン信号受信回路で受信した前記エレベータ管理階床データを保存する乗場メモリと、
乗場子局マイクロコンピュータと
を備え、
前記エレベータ乗場釦制御装置の前記乗場子局マイクロコンピュータは、
前記リモコン信号受信回路が受信した前記エレベータ管理階床データを、前記乗場メモリに保存する乗場子局データ設定部と、
前記エレベータ制御盤に対して、前記エレベータ信号伝送システムを介して、前記リモコン信号受信回路が受信した前記エレベータ管理階床データを送信する乗場子局送信部と
を有し、
前記エレベータ制御盤の前記親局マイクロコンピュータは、
前記乗場子局送信部によって送信された前記エレベータ管理階床データを受信したときに、受信した前記エレベータ管理階床データと同一のデータが前記制御盤メモリに保存されているか否かを判定し、同一のデータが保存されていた場合に、前記エレベータ管理階床データによって特定される階床まで、前記エレベータかご室を走行させ、前記階床において、前記エレベータかご室を開扉させた状態で、前記アナウンス装置から、前記階床の階床設定が完了したことを通知する音声メッセージを発声させることを指示する指示信号を、前記エレベータかご室に対して、前記エレベータ信号伝送システムを介して送信する、かご制御部と
を有する、
エレベータの信号伝送制御装置。
【請求項２】
前記エレベータ信号伝送システムは、
前記エレベータ制御盤に設けられた乗場用送受信回路およびかご用送受信回路と、
前記エレベータ乗場釦制御装置に設けられた乗場送受信回路と、
前記エレベータかご室に設けられたかご送受信回路と、
前記エレベータ制御盤の前記乗場用送受信回路と前記エレベータ乗場釦制御装置の前記乗場送受信回路とを接続する第１の直列信号伝送路と、
前記エレベータ制御盤の前記かご用送受信回路と前記エレベータかご室の前記かご送受信回路とを接続する第２の直列信号伝送路と
を備えた、
請求項１に記載のエレベータの信号伝送制御装置。
【請求項３】
前記エレベータ制御盤の前記親局マイクロコンピュータは、
前記判定の結果、前記乗場子局送信部によって送信された前記エレベータ管理階床データと同一のデータが前記制御盤メモリに保存されていなかった場合に、前記エレベータ乗場釦制御装置に対して、前記エレベータ信号伝送システムを介して、前記エレベータ乗場に設置されている前記呼び釦灯を点滅させることを指示する指示信号を送信する乗場制御部を
さらに有し、
前記エレベータ乗場釦制御装置は、前記乗場制御部からの前記指示信号に従って、前記呼び釦灯の点滅を行う
請求項１または２に記載のエレベータの信号伝送制御装置。
【請求項４】
エレベータ乗場に設置されているエレベータ乗場釦制御装置が、リモコンからのエレベータ管理階床データを受信するステップと、
前記エレベータ乗場釦制御装置が、前記エレベータ管理階床データを、エレベータ制御盤に送信するステップと、
前記エレベータ制御盤が、前記エレベータ乗場釦制御装置から、前記エレベータ管理階床データを受信するステップと、
前記エレベータ制御盤が、前記エレベータ管理階床データによって特定される階床まで、エレベータかご室を走行させて開扉させるステップと、
前記エレベータ制御盤が、前記エレベータかご室を開扉させた状態で、前記エレベータかご室に設置されたアナウンス装置から、当該階床の階床設定が完了したことを通知する音声メッセージを発声させるステップと
を備えたエレベータの信号伝送制御方法。
【請求項５】
前記エレベータ制御盤が、前記エレベータ乗場釦制御装置が設置されている階床を示すエレベータ管理階床データを予めメモリに保存するステップと、
前記エレベータ制御盤が、前記エレベータ乗場釦制御装置から受信した前記エレベータ管理階床データと同一のデータが前記メモリ内にあるかを判定するステップと、
判定の結果、同一のデータが無かった場合に、前記エレベータ制御盤が、前記エレベータ乗場釦制御装置に対して、前記エレベータ乗場に設置されている呼び釦灯を点滅させることを指示する指示信号を送信するステップと、
前記エレベータ乗場釦制御装置が、前記指示信号に従って、前記呼び釦灯の点滅を行うステップと
をさらに備えた、
請求項４に記載のエレベータの信号伝送制御方法。
【発明の詳細な説明】
【技術分野】
【０００１】
本発明は、エレベータの信号伝送制御装置およびエレベータの信号伝送制御方法に関する。
【背景技術】
【０００２】
従来から、乗場またはかご室に設置されたエレベータの操作表示機器は、よく知られている。通常は、一般のエレベータ利用者が、エレベータを利用する際に、エレベータの操作表示機器により、呼びを登録する。また、エレベータの操作表示機器は、一般のエレベータ利用者とは異なる作業者が、赤外線リモートコントローラ（以下、「赤外線リモコン」または「リモコン」と呼ぶ）を使用して、エレベータの操作表示機器に対して、各種の調整や設定の入力を行ったときに、当該調整や設定によって変更された設定状態などを表示するように構成されている。
【０００３】
従来の操作表示機器として、例えば、特許文献１に記載の装置を挙げることができる。特許文献１には、エレベータの乗場またはかごに設置され、赤外線リモコンを使用して各種の調整及び設定が行われるエレベータの操作表示器具についての記載がある。
【０００４】
特許文献１に記載のエレベータの操作表示機器は、赤外線リモコンからリモコン信号を受信する赤外線受信部と、赤外線受信部からの受信信号のレベルを判定する受信レベル判定部と、赤外線受信部からの受信信号をディジタル信号に変換し、ディジタル信号が赤外線リモコンのデータフォーマットと一致した場合に、ディジタル信号を出力するリモコンフォーマット解析部と、受信レベル判定部からのレベル判定値とリモコンフォーマット解析部からディジタル信号と予め内部に記憶されている登録コードとから、ディジタル信号の整合性を判定して、判定結果を出力する信号判定部と、エレベータ制御部からのエレベータ情報と信号判定部からの判定結果とから表示画面を作成する表示画面制御部と、表示画面制御部で作成された表示画面を表示する表示部と、を備えている。
【先行技術文献】
【特許文献】
【０００５】
【特許文献１】特開２０１３−１３１８２６号公報
【発明の概要】
【発明が解決しようとする課題】
【０００６】
特許文献１に記載のエレベータの操作表示機器においては、赤外線リモコンの受信レベル判定値とディジタル信号の判定結果とをオペレータに対して伝えるために、エレベータ情報を表示する表示画面が必要である。しかしながら、エレベータ情報を表示する表示画面は、エレベータの乗場仕様によっては設置されていない場合がある。そのような表示画面が設置されていない乗場仕様の場合には、特許文献１のエレベータの操作表示機器そのものを使用することができないという問題点があった。
【０００７】
本発明は、かかる問題点を解決するためになされたものであり、エレベータのかご室及び乗場に表示画面が設置されていない場合においても、エレベータの階床設定の確認を行うことが可能な、エレベータの信号伝送制御装置およびエレベータの信号伝送制御方法を得ることを目的とする。
【課題を解決するための手段】
【０００８】
本発明は、エレベータの運行の制御を行うエレベータ制御盤と、エレベータ乗場に設置された呼び釦及び呼び釦灯の制御を行うエレベータ乗場釦制御装置と、前記エレベータ乗場釦制御装置と前記エレベータ制御盤とを接続するとともに、前記エレベータ制御盤とエレベータかご室とを接続するエレベータ信号伝送システムとを備え、前記エレベータかご室は、音声メッセージを発声するアナウンス装置を有しており、前記エレベータ制御盤は、前記エレベータ乗場釦制御装置が設置された階床を示すエレベータ管理階床データを保存する制御盤メモリと、親局マイクロコンピュータとを有し、前記エレベータ乗場釦制御装置は、リモコンから入力されるエレベータ管理階床データを受信するリモコン信号受信回路と、前記リモコン信号受信回路で受信した前記エレベータ管理階床データを保存する乗場メモリと、乗場子局マイクロコンピュータとを備え、前記エレベータ乗場釦制御装置の前記乗場子局マイクロコンピュータは、前記リモコン信号受信回路が受信した前記エレベータ管理階床データを、前記乗場メモリに保存する乗場子局データ設定部と、前記エレベータ制御盤に対して、前記エレベータ信号伝送システムを介して、前記リモコン信号受信回路が受信した前記エレベータ管理階床データを送信する乗場子局送信部とを有し、前記エレベータ制御盤の前記親局マイクロコンピュータは、前記乗場子局送信部によって送信された前記エレベータ管理階床データを受信したときに、受信した前記エレベータ管理階床データと同一のデータが前記制御盤メモリに保存されているか否かを判定し、同一のデータが保存されていた場合に、前記エレベータ管理階床データによって特定される階床まで、前記エレベータかご室を走行させ、前記階床において、前記エレベータかご室を開扉させた状態で、前記アナウンス装置から、前記階床の階床設定が完了したことを通知する音声メッセージを発声させることを指示する指示信号を、前記エレベータかご室に対して、前記エレベータ信号伝送システムを介して送信する、かご制御部とを有する、エレベータの信号伝送制御装置である。
【発明の効果】
【０００９】
本発明は、リモコン信号受信回路がリモコンからエレベータ管理階床データを受信したときに、エレベータ制御盤に、当該エレベータ管理階床データを送信し、エレベータ制御盤が、受信したエレベータ管理階床データによって特定される階床までエレベータかご室を走行させ、開扉させた状態で、エレベータかご室に設置されたアナウンス装置から、当該階床の階床設定が完了したことを通知する音声メッセージを発声させるようにしたので、当該音声メッセージにより、作業員は、階床設定が完了したことを確認することができるので、エレベータのかご室及び乗場に表示画面が設置されていない場合においても、エレベータの階床設定完了の確認を行うことができる。
【図面の簡単な説明】
【００１０】
【図１】本発明の実施の形態１に係るエレベータの信号伝送制御装置を用いたエレベータシステム全体を示す全体構成図である。
【図２】本発明の実施の形態１に係るエレベータの信号伝送制御装置におけるエレベータの信号伝送制御方法の処理の流れを示すフローチャートである。
【発明を実施するための形態】
【００１１】
実施の形態１．
図１は、本発明の実施の形態１に係るエレベータの信号伝送制御装置を用いたエレベータシステム全体を示す全体構成図である。
図において、１は、機械室に設置されているエレベータ制御盤である。図１に示すように、エレベータは、巻上機３１と、巻上機３１に巻き掛けられたロープ３０と、ロープ３０の一端に懸架されたエレベータかご室３と、ロープ３０の他端に懸架された釣合い錘３２とから構成されている。そして、巻上機３１が、エレベータ制御盤１によって制御され、エレベータのかご室３と釣合い錘３２とが、つるべ式に昇降される。エレベータかご室３は昇降して、各階の乗場に停止し、利用者がエレベータかご室３に対し乗降を行う。
【００１２】
エレベータ制御盤１は、エレベータの運行の制御全般を行う。
エレベータ制御盤１は、親局マイクロコンピュータ４と、メモリ５と、かご用親局ＵＡＲＴ（Universal Asynchronous Receiver-Transmitter）回路６と、乗場用親局ＵＡＲＴ回路７とを、備えている。ここで、ＵＡＲＴ回路とは、汎用非同期送受信回路とも呼ばれ、シリアル信号をパラレル信号に変換、および、パラレル信号をシリアル信号に変換するための集積回路から構成された送受信回路のことである。かご用親局ＵＡＲＴ回路６および乗場用親局ＵＡＲＴ回路７は、共に、ＵＡＲＴ回路から構成されている。
親局マイクロコンピュータ４は、エレベータ制御盤１内の制御基板に搭載され、エレベータの運行の制御全般を行うとともに、信号の伝送の制御も行っている。親局マイクロコンピュータ４は、親局データ設定部（図示省略）とかご制御部（図示省略）とを有している。親局データ設定部（図示省略）は、エレベータの据付作業時に、エレベータ据付作業者又は保守作業者によって設定されるエレベータ管理階床データを、メモリ５の全階床のエレベータ管理階床データ保存エリア５ａに保存する。なお、エレベータ管理階床データとは、後述するエレベータ乗場釦制御装置２が設置されている階床を示す設定値のことである。また、かご制御部（図示省略）は、各階のエレベータ乗場釦制御装置２から、エレベータ管理階床データを受信したときに、当該エレベータ管理階床データによって特定される階床までエレベータかご室３を走行させ、当該階床においてエレベータかご室３を開扉させた状態で、エレベータかご室３に設置された後述するアナウンス装置１９から、当該階床の階床設定が完了したことを通知する音声メッセージを発声させることを指示する指示信号を、エレベータかご室３に対して送信する。
メモリ５は、親局マイクロコンピュータ４が実行するプログラムを記憶するとともに、全階床のエレベータ管理階床データ保存エリア５ａを有している。全階床のエレベータ管理階床データ保存エリア５ａは、全階床分のエレベータ管理階床データを保存する領域である。すなわち、全階床のエレベータ管理階床データ保存エリア５ａには、全てのエレベータ乗場釦制御装置２について、それらが、それぞれ、何階に設置されているかを示すエレベータ管理階床データが、保存される。エレベータ管理階床データは、エレベータの据付作業時に、全階床のエレベータ管理階床データ保存エリア５ａに保存される。エレベータ管理階床データは、エレベータ停止数及び工事仕様（中間階に非停止階が設定されている場合等）により異なるため、エレベータごとに、据付時に、エレベータ据付作業者または保守作業者によって、設定される。
かご用親局ＵＡＲＴ回路６は、エレベータ制御盤１内の制御基板に搭載されており、エレベータ信号伝送システムを構成している。かご用親局ＵＡＲＴ回路６は、エレベータかご室３に設けられた後述するかごＵＡＲＴ回路１６に接続されている。
乗場用親局ＵＡＲＴ回路７は、エレベータ制御盤１内の制御基板に搭載されており、エレベータ信号伝送システムを構成している。乗場用親局ＵＡＲＴ回路７は、エレベータ乗場釦制御装置２に設けられた後述する乗場ＵＡＲＴ回路８に接続されている。
【００１３】
各階の乗場には、エレベータ乗場釦制御装置２が設置されている。図１においては、図の簡略化のために、Ｎ＋Ｍ階に設置されたエレベータ乗場釦制御装置２の内部構成のみを図示しているが、Ｎ＋Ｍ階以外の他階に設置された各エレベータ乗場釦制御装置２の内部構成は、すべて、Ｎ＋Ｍ階に設置されたエレベータ乗場釦制御装置２の内部構成と同一である。また、各階の乗場の壁面には、呼び釦灯１０と呼び釦１１とが設置されている。呼び釦１１は、「上昇呼び」を呼び登録するための上昇呼び用釦と、「下降呼び」を登録するための下降呼び用釦との、２つの釦から構成されている。利用者は、呼び釦１１の２つの釦のうちの１つを押すことで、「上昇呼び」または「下降呼び」を登録する。呼び釦灯１０は、点灯することで、利用者が呼び釦１１を押したことを示す呼び釦信号をエレベータ制御盤１が認識したことを表示する。呼び釦灯１０は、ランプ式インジケータにより構成されている。なお、エレベータ乗場釦制御装置２が「上昇呼び」または「下降呼び」を示す呼び釦信号をエレベータ制御盤１に送信する場合、及び、エレベータ制御盤１から送信される呼び釦１１の点灯信号をエレベータ乗場釦制御装置２が受信する場合は、当該エレベータ乗場釦制御装置２が設置されている階が何階であるかを認識する必要があるため、呼び釦信号および点灯信号を送信する際には、それらの信号と共に、エレベータ乗場釦制御装置２が設置されている階が何階であるかを特定するためのエレベータ管理階床データが送信される。
【００１４】
エレベータ乗場釦制御装置２は、乗場ＵＡＲＴ回路８と、Ｉ／Ｆ（Interface）回路１２と、リモコン信号受信回路１３と、乗場子局マイクロコンピュータ１４と、メモリ１５とを備えている。
乗場ＵＡＲＴ回路８は、エレベータ乗場釦制御装置２の制御基板に搭載され、エレベータ信号伝送システムを構成している。乗場ＵＡＲＴ回路８は、後述するエレベータ信号伝送ライン２１を介して、エレベータ制御盤１と、他階のエレベータ乗場釦制御装置２とに、接続されている。なお、乗場ＵＡＲＴ回路８は、ＵＡＲＴ回路から構成されている。
Ｉ／Ｆ回路１２は、エレベータ乗場釦制御装置２の制御基板に搭載されている。Ｉ／Ｆ回路１２は、呼び釦灯１０および呼び釦１１に接続されている。
リモコン信号受信回路１３は、エレベータ乗場釦制御装置２の制御基板に搭載されている。リモコン信号受信回路１３は、リモコン９から送信されてくる赤外線信号のエレベータ管理階床データを受信する。
メモリ１５は、エレベータ乗場釦制御装置２の制御基板に搭載され、エレベータ管理階床データを保存するためのエレベータ管理階床データ保存エリア１５ａを有している。
乗場子局マイクロコンピュータ１４は、エレベータ乗場釦制御装置２の制御基板に搭載され、リモコン信号受信回路１３が受信した信号の処理、および、信号の伝送の制御も行っている。乗場子局マイクロコンピュータ１４は、リモコン信号受信回路１３がリモコン９からエレベータ管理階床データを受信したときに、メモリ１５のエレベータ管理階床データ保存エリア１５ａに、エレベータ管理階床データを保存する乗場子局データ設定部（図示省略）と、エレベータ信号伝送ライン２１を介して、エレベータ制御盤１に、当該エレベータ管理階床データを送信する乗場子局送信部（図示省略）とを有している。また、乗場子局マイクロコンピュータ１４は、呼び釦１１に対して、利用者から、「上昇呼び」または「下降呼び」が登録された場合に、エレベータ信号伝送ライン２１を介して、エレベータ制御盤１に、呼び釦信号と共にエレベータ管理階床データを送信する。
【００１５】
エレベータかご室３には、かご操作盤１８が設置されている。
かご操作盤１８は、かごＵＡＲＴ回路１６と、かご子局マイクロコンピュータ１７と、アナウンス装置１９とを備えている。さらに、かご操作盤１８は、利用者がエレベータの行き先を選定するためのかご呼び釦（図示省略）を有している。なお、かごＵＡＲＴ回路１６は、ＵＡＲＴ回路から構成されている。
かごＵＡＲＴ回路１６は、かご操作盤１８内の制御基板に搭載され、エレベータ信号伝送システムを構成している。かごＵＡＲＴ回路１６は、後述するエレベータ信号伝送ライン２０を介して、エレベータ制御盤１に接続されている。
かご子局マイクロコンピュータ１７は、かご操作盤１８内の制御基板に搭載され、かごＵＡＲＴ回路１６に接続されるとともに、アナウンス装置１９に接続されている。かご子局マイクロコンピュータ１７は、かごＵＡＲＴ回路１６で受信した信号に基づいて、アナウンス装置１９の制御を行う。さらに、かご子局マイクロコンピュータ１７は、エレベータ制御盤１からの指示信号に従う各種処理、信号伝送の制御、かご呼び釦の制御なども行う。
アナウンス装置１９は、かご操作盤１８に設置され、音声メッセージを発声して、各種エレベータ情報をアナウンスする。さらに、アナウンス装置１９は、エレベータ据付作業者又は保守作業者が後述するリモコン９を用いてエレベータの各階の乗場で階床設定を行う際に、エレベータ据付作業者又は保守作業者に対して、階床設定が完了したことを知らせるためのアナウンスを行う。
【００１６】
図１において、９は、エレベータ据付作業者又は保守作業者が操作するリモコンである。リモコン９は、エレベータ据付作業者又は保守作業者によって入力されたエレベータ管理階床データを、赤外線信号で、エレベータ乗場釦制御装置２のリモコン信号受信回路１３に送信する。
【００１７】
また、図１において、２０は、エレベータ制御盤１のかご用親局ＵＡＲＴ回路６とかご操作盤１８のかごＵＡＲＴ回路１６とを接続するエレベータ信号伝送ラインである。エレベータ信号伝送ライン２０は、親局マイクロコンピュータ４とかご子局マイクロコンピュータ１７間で、直列伝送システムを構成している。
２１は、エレベータ制御盤１の乗場用親局ＵＡＲＴ回路７とエレベータ乗場釦制御装置２の乗場ＵＡＲＴ回路８とを接続するエレベータ信号伝送ラインである。エレベータ信号伝送ライン２１は、親局マイクロコンピュータ４と複数の乗場子局マイクロコンピュータ１４間で、直列伝送システムを構成している。
【００１８】
このように、かご用親局ＵＡＲＴ回路６、乗場用親局ＵＡＲＴ回路７、乗場ＵＡＲＴ回路８、かごＵＡＲＴ回路１６、及び、エレベータ信号伝送ライン２０，２１は、エレベータ信号伝送システムを構成している。
【００１９】
本実施の形態においては、エレベータにおいて、各乗場およびエレベータかご室３に、エレベータ情報を表示するための表示画面は設けられていない。そのため、据付作業または保守点検の際に、エレベータ据付作業者又は保守作業者は、表示画面により、階床設定が完了したか否かを確認することができない。そこで、本実施の形態においては、階床設定が完了した場合、エレベータかご室３を、エレベータ据付作業者又は保守作業者が居る階床まで移動させ、エレベータかご室３のアナウンス装置１９から、音声メッセージを発声させることで、エレベータ据付作業者又は保守作業者に、階床設定が完了した旨を報知する。
【００２０】
具体的に説明する。いま、エレベータ据付作業者又は保守作業者が、Ｎ＋Ｍ階で、工事または保守点検を行っているとする。この際に、エレベータ据付作業者又は保守作業者によって、リモコン９に、エレベータ管理階床データが入力されると、当該エレベータ管理階床データは、エレベータ制御盤１に送信される。エレベータ制御盤１の親局マイクロコンピュータ４は、メモリ５の全階床のエレベータ管理階床データ保存エリア５ａ内に、受信したエレベータ管理階床データと同一のデータがあるか否かを判定する。メモリ５内に同一データがあった場合には、エレベータ制御盤１の親局マイクロコンピュータ４は、据付作業者又は保守作業者のエレベータ管理階床データの誤設定はないと判定することができる。そのため、エレベータ制御盤１の親局マイクロコンピュータ４は、メモリ５の全階床のエレベータ管理階床データ保存エリア５ａ内に、受信したエレベータ管理階床データと同一のデータがあった場合には、エレベータ据付作業者又は保守作業者が居るＮ＋Ｍ階まで、エレベータかご室３を移動させ、エレベータかご室３のドアを開扉する。そうして、エレベータかご室３を開扉した状態で、かご操作盤１８に設けられたアナウンス装置１９から、「ＸＸ階の階床設定を完了しました。」との音声メッセージを発声させ、エレベータ据付作業者又は保守作業者に対し、階床設定が完了した旨を知らせる。これにより、エレベータ据付作業者又は保守作業者は、エレベータ管理階床データの設定が完了したことを確認することができる。従って、本実施の形態によれば、エレベータ情報を表示する表示画面が乗場及びエレベータかご室に設置されていない場合においても、エレベータかご室３のかご操作盤１８に設置されたアナウンス装置１９により音声メッセージを流すことで、階床設定が完了したことを確認することができる。一方、エレベータ制御盤１の親局マイクロコンピュータ４は、メモリ５の全階床のエレベータ管理階床データ保存エリア５ａ内に、受信したエレベータ管理階床データと同一のデータがなかった場合には、据付作業者又は保守作業者がリモコン９に入力したエレベータ管理階床データが誤設定であると判定し、エレベータ据付作業者又は保守作業者が居るＮ＋Ｍ階の呼び釦灯１０を点滅させることで、エレベータ据付作業者又は保守作業者に対して、リモコン９に入力されたエレベータ管理階床データが誤設定であることを通知する。
【００２１】
図２は、本実施の形態に係るエレベータの信号伝送制御装置の動作を示すフローチャートである。以下、図２に基づいて、当該動作について説明する。
【００２２】
図２において、まず、ステップＳ１で、エレベータ据付作業者又は保守作業者（以下、リモコン操作者とする。）が、リモコン９で、エレベータ管理階床データを、赤外線信号で、エレベータ乗場釦制御装置２のリモコン信号受信回路１３に対して送信する。
【００２３】
次に、ステップＳ２で、エレベータ乗場釦制御装置２の乗場子局マイクロコンピュータ１４は、リモコン信号受信回路１３で受信したエレベータ管理階床データを、メモリ１５のエレベータ管理階床データ保存エリア１５ａに保存する。その後、乗場子局マイクロコンピュータ１４は、リモコン信号受信回路１３で受信したエレベータ管理階床データを、乗場ＵＡＲＴ回路８およびエレベータ信号伝送ライン２１を介して、エレベータ制御盤１の乗場用親局ＵＡＲＴ回路７に対して送信する。
【００２４】
次に、ステップＳ３で、親局マイクロコンピュータ４が、乗場用親局ＵＡＲＴ回路７で受信したエレベータ管理階床データと同一のデータが、メモリ５の全階床のエレベータ管理階床データ保存エリア５ａ内にあるか否かを判定する。同一のデータがあれば、ステップＳ４へ進み、一方、同一のデータがなければ、ステップＳ６へ進む。
【００２５】
ステップＳ４では、親局マイクロコンピュータ４が、エレベータ乗場釦制御装置２から受信したエレベータ管理階床データに基づいて、リモコン９からエレベータ管理階床データが入力されたエレベータ乗場釦制御装置２が設置されている階床、すなわち、リモコン操作者が居る階床まで、エレベータかご室３を移動させ、開扉させる。処理完了後、ステップＳ５へ進む。
【００２６】
ステップＳ５では、親局マイクロコンピュータ４が、かご用親局ＵＡＲＴ回路６およびエレベータ信号伝送ライン２０介して、かご操作盤１８のかごＵＡＲＴ回路１６に対して、アナウンス装置１９を制御するための制御信号を送信する。かご子局マイクロコンピュータ１７は、当該制御信号に基づいて、アナウンス装置１９を制御し、「ＸＸ階の階床設定が完了しました。」という音声メッセージを発声させる。これにより、リモコン操作者は、階床設定が完了したことを確認することができる。処理終了後、図２のフローの処理を完了する。
【００２７】
一方、ステップＳ６では、親局マイクロコンピュータ４が、エレベータ乗場釦制御装置２から受信したエレベータ管理階床データに基づいて、乗場用親局ＵＡＲＴ回路７およびエレベータ信号伝送ライン２１を介して、当該エレベータ乗場釦制御装置２が設置されている階床、すなわち、リモコン操作者が居る階床のエレベータ乗場釦制御装置２まで、呼び釦灯１０を点滅させるための点滅指示を送信する。処理完了後、ステップＳ７へ進む。
【００２８】
ステップＳ７では、エレベータ乗場釦制御装置２が、乗場ＵＡＲＴ回路８により、当該点滅指示を受信する。乗場子局マイクロコンピュータ１４は、当該点滅指示に基づいて、Ｉ／Ｆ回路１２を介して、呼び釦灯１０を制御して、呼び釦灯１０を点滅させる。これにより、リモコン操作者に対して、リモコン操作者のエレベータ管理階床データの設定がＮＧであったことを知らせることができる。処理完了後、ステップＳ１の処理へ戻る。
【００２９】
以上のように、本実施の形態においては、乗場子局マイクロコンピュータ１４が、リモコン信号受信回路１３がリモコン９からエレベータ管理階床データを受信したときに、メモリ１５のエレベータ管理階床データ保存エリア１５ａに、エレベータ管理階床データを保存するとともに、エレベータ信号伝送ライン２１を介して、エレベータ制御盤１にエレベータ管理階床データを送信する。
一方、エレベータ制御盤１の親局マイクロコンピュータ４は、乗場子局マイクロコンピュータ１４からエレベータ管理階床データを受信したときに、受信したエレベータ管理階床データと同一のデータが、メモリ５の全階床のエレベータ管理階床データ保存エリア５ａに予め保存されているエレベータ管理階床データの中にあるか否かを判定する。同一データがあった場合には、エレベータ制御盤１の親局マイクロコンピュータ４は、リモコン９に入力されたエレベータ管理階床データが正しいと判定し、エレベータ信号伝送ライン２０を介してエレベータかご室３を制御して、エレベータ管理階床データによって特定される階床までエレベータかご室３を走行させ、当該階床においてエレベータかご室３を開扉させた状態で、エレベータかご室３に設置されたアナウンス装置１９から、乗場階床設定が完了したことを通知する音声メッセージを発声させる。
これにより、本実施の形態においては、エレベータかご室及び乗場に表示画面が設置されていない場合においても、エレベータの階床設定の完了を確認することができる。
【００３０】
なお、本実施の形態においては、アナウンス装置からの音声メッセージによりエレベータの階床設定の確認を行うことを例に挙げて説明したが、階床設定だけでなく、他の調整や設定の更新処理においても、本発明が適用できることは言うまでもない。
【符号の説明】
【００３１】
１  エレベータ制御盤、２  エレベータ乗場釦制御装置、３  エレベータかご室、４  親局マイクロコンピュータ、５  メモリ、５ａ  全階床のエレベータ管理階床データ保存エリア、６  かご用親局ＵＡＲＴ回路、７  乗場用親局ＵＡＲＴ回路、８  乗場ＵＡＲＴ回路、９  リモコン、１０  呼び釦灯、１１  呼び釦、１２  Ｉ／Ｆ回路、１３  リモコン信号受信回路、１４  乗場子局マイクロコンピュータ、１５  メモリ、１５ａ  エレベータ管理階床データ保存エリア、１６  かごＵＡＲＴ回路、１７  かご子局マイクロコンピュータ、１８  かご操作盤、１９  アナウンス装置、２０，２１  エレベータ信号伝送ライン、３０  ロープ、３１  巻上機、３２  釣合い錘。
【図１】
0006594221.tif 000002
【図２】
0006594221.tif 000003